(57)【特許請求の範囲】
【請求項１】
便座及び便蓋と、該便蓋に設けられた発光体とを有する便器上面部材において、
電磁誘導によって該発光体に通電するための２次コイルを便蓋に備えており、
該便蓋が該便座に重なったときに該２次コイルと対峙する１次コイルが該便座に設けられており、
該便座にヒータが設けられており、該ヒータの少なくとも一部が該１次コイルを構成していることを特徴とする便器上面部材。
【請求項２】
便座及び便蓋と、該便蓋に設けられた発光体とを有する便器上面部材において、
電磁誘導によって該発光体に通電するための２次コイルを便蓋に備えており、
該便蓋が該便座に重なったときに該２次コイルと対峙する１次コイルが該便座に設けられており、
該便座に、該便座の温度を検知するための温度センサが設けられており、該温度センサの導線の少なくとも一部が該１次コイルを構成していることを特徴とする便器上面部材。
【請求項３】
請求項２において、前記温度センサは熱電対であり、該熱電対が前記１次コイルの一部を構成していることを特徴とする便器上面部材。
【発明の詳細な説明】
【技術分野】
【０００１】
本発明は、便蓋を備えた便器上面部材に関するものであり、特に紫外線等を発光する発光体が該便蓋に設けられた便器上面部材に関する。
【背景技術】
【０００２】
実開昭６０−１１７８００号、実開平１−８９０８８号、実開平１−１５９７９８号、特開平１１−７１８０３号の図５には便蓋の裏側に殺菌灯を設けることが記載されている。
【０００３】
特開２０００−３３３８８２号には、便座のヒータに電磁誘導を利用して通電することが記載されている。
【特許文献１】実開昭６０−１１７８００号
【特許文献２】実開平１−８９０８８号
【特許文献３】実開平１−１５９７９８号
【特許文献４】特開平１１−７１８０３号
【特許文献５】特開２０００−３３３８８２号
【発明の開示】
【発明が解決しようとする課題】
【０００４】
本発明は、便蓋の発光体に対し電磁誘導によって通電が行われる便器上面部材を提供することを目的とする。
【課題を解決するための手段】
【０００５】
請求項１の便器上面部材は、便座及び便蓋と、該便蓋に設けられた発光体とを有する便器上面部材において、電磁誘導によって該発光体に通電するための２次コイルを便蓋に備えており、該便蓋が該便座に重なったときに該２次コイルと対峙する１次コイルが該便座に設けられており、該便座にヒータが設けられており、該ヒータの少なくとも一部が該１次コイルを構成していることを特徴とするものである。
【０００６】
請求項２の便器上面部材は、便座及び便蓋と、該便蓋に設けられた発光体とを有する便器上面部材において、電磁誘導によって該発光体に通電するための２次コイルを便蓋に備えており、該便蓋が該便座に重なったときに該２次コイルと対峙する１次コイルが該便座に設けられており、該便座に、該便座の温度を検知するための温度センサが設けられており、該温度センサの導線の少なくとも一部が該１次コイルを構成していることを特徴とするものである。
【０００８】
請求項３の便器上面部材は、請求項２において、前記温度センサは熱電対であり、該熱電対が前記１次コイルの一部を構成していることを特徴とするものである。
【発明の効果】
【０００９】
本発明の便器上面部材にあっては、便蓋の発光体に対し電磁誘導によって通電が行われるので、便蓋と、便座ボックスやロータンクカバー等の便蓋支持部材との間に発光体に電力を供給するためのリード線を配材することが不要である。このため、リード線の耐久性を確保するための設計上の配慮が不要であると共に、清掃時にリード線が引掛かる等の不便もない。
【００１０】
本発明では、１次コイルを便座に設けているので、１次コイルと２次コイルとの対峙面積を大きくし、十分な電流を電磁誘導によって便蓋側へ供給することができる。なお、便蓋のみを起立させたときには発光体への通電が停止される。
【００１１】
本発明の便器上面部材にあっては、１次コイルのすべて又は一部をヒータや導線と兼用しているので、材料コストの低減を図ることができる。
【発明を実施するための最良の形態】
【００１２】
以下、図面を参照して参考例及び実施の形態について説明する。第１図は参考例に係る便器上面部材を示す斜視図、第２図は第１図のII−II線断面図である。
【００１３】
この参考例では、便座ボックス１に便座２及び便蓋３がそれぞれ中空筒状の支軸を介して２点鎖線で示すように上下方向回動可能に取り付けられている。
【００１４】
便座２は暖房便座であり、その内部には暖房ヒータ（第１，２図では図示略）及び１次コイル４が設けられている。このヒータ及び１次コイル４への通電用のリード線は、便座２の支軸（図示略）内を通って、便座ボックス１内に引き込まれている。
【００１５】
便蓋３には、該便蓋３が便座２上に倒伏したときに１次コイル４と対峙する位置に２次コイル５が設けられている。また、便蓋３には、この２次コイル５から通電される発光体としてＵＶＬＥＤ（紫外線発光ＬＥＤ）６が設けられている。なお、この参考例では、ＵＶＬＥＤ６は便座２の内周縁の上方に配置されており、便座２の上面と便鉢内の双方にＵＶを照射可能としているが、主として便鉢内に紫外線を照射するように便蓋３の中央側に配置されてもよい。
【００１６】
このように構成された便器上面部材においては、便蓋３を便座２上に倒伏させると、１次コイル４に対し２次コイル５が対峙し、電磁誘導によりＵＶＬＥＤ６へ通電され、ＵＶＬＥＤ６が発光する。これにより、便座２の上面及び便鉢内がＵＶ殺菌あるいは防汚される。なお、便座２の上面や便鉢の内面に光触媒を設けておき、光触媒反応によって殺菌、防汚効果を高めるようにしてもよい。光触媒を設けてある場合には、発光体として可視光発光体を設けた場合でも殺菌、防汚効果を得ることができる。
【００１７】
便蓋３のみを起立させると、１次コイル４と２次コイル５とが離反し、ＵＶＬＥＤ６が消灯する。そのため、人にＵＶが照射されることが防止される。
【００１８】
なお、便座２の起立を検知するためのセンサ（例えば、便座２の支軸に設けられたロータリエンコーダやリードスイッチ等）を設けておき、便座２が起立した場合には１次コイル４への通電を停止するように構成してもよい。このようにすれば、便座２及び便蓋３を起立させた場合でも人体にＵＶが照射されることが防止される。
【００１９】
第１，２図では便座２に１次コイル４を設けているが、第３図の参考例では、便座ボックス１Ａのうち便蓋３Ａを倒伏させたときに便蓋３Ａの基端側と対峙する位置に１次コイル４を設け、便蓋３Ａの基端側に２次コイル５を設けている。
【００２０】
この第３図の便器上面部材においても、便蓋３Ａを倒伏させると２次コイル５からＵＶＬＥＤ（第３図では図示略）に通電されて該ＵＶＬＥＤが点灯する。便蓋３Ａを起立させると、２次コイル５が１次コイル４から離反するので、便座２の起倒の如何にかかわらずＵＶＬＥＤが消灯する。従って、ＵＶが人体に照射することが確実に防止される。
【００２１】
本発明では、便座のヒータを１次コイルと兼用させている。第４図は実施の形態に係る便器上面部材の一例を示す斜視図であり、便座２Ｂを周回してヒータ兼１次コイル８が設けられている。便蓋３Ｂには、該便蓋３Ｂが便座２Ｂ上に倒伏したときに該ヒータ兼１次コイル８と対峙するように２次コイル９が設けられている。
【００２２】
便蓋３Ｂを便座２Ｂ上に倒伏させると、電磁誘導により２次コイル９からＵＶＬＥＤ６に通電され、ＵＶＬＥＤ６が点灯する。便蓋３Ｂのみを起立させると、ＵＶＬＥＤ６が消灯する。この場合も、便座２Ｂの起立検知センサを設け、便座２Ｂが起立したときにはヒータ兼１次コイル８への通電を停止するよう構成するのが好適である。
【００２３】
第４図ではヒータと１次コイルとを兼用させているが、便座温度を検知するための温度センサのリード線を１次コイルと兼用させてもよい。温度センサが熱電対であるときには、熱電対で１次コイルの一部を構成してもよい。
【００２４】
上記実施の形態では便座ボックスを採用しているが、ロータンクカバーを採用してもよい。
【図面の簡単な説明】
【００２５】
【図１】参考例に係る便器上面部材を示す斜視図である。
【図２】第１図のII−II線断面図である。
【図３】別の参考例を示す断面図である。
【図４】実施の形態を示す斜視図である。
【符号の説明】
【００２６】
１，１Ａ  便座ボックス
２，２Ｂ  便座
３，３Ａ，３Ｂ  便蓋
４  １次コイル
５  ２次コイル
６  ＵＶＬＥＤ
【図１】
0004517971.tif 000002
【図２】
0004517971.tif 000003
【図３】
0004517971.tif 000004
【図４】
0004517971.tif 000005